(57)【要約】【課題】電源を遮断する際に補助記憶装置の情報が破壊されるのを簡単かつ低コストで防止する。【解決手段】ＨＤＤと、ＨＤＤへのアクセス状態を表すＬＥＤとを有し、接続されたホスト機器から送信された情報に従って動作する電子機器において、ホスト機器から送信された情報に従ってＨＤＤに対するアクセスを実行する前に、ＬＥＤを点灯させ（Ｓ３２）、２秒待機（Ｓ３３）した後に、アクセスを開始する（Ｓ３４）。【選択図】　図３
2004139522.tif 000002
【特許請求の範囲】
【請求項１】
補助記憶装置を有し、接続されたホスト機器から送信された情報に従って動作する電子機器であって、
前記補助記憶装置へのアクセス状態を表す表示手段と、
前記ホスト機器から送信された情報に従って前記補助記憶装置に対するアクセスを実行する所定時間前に、前記表示手段をアクセス状態とするように制御する表示制御手段と、を備えることを特徴とする電子機器。
【請求項２】
補助記憶装置を有し、接続されたホスト機器から送信された情報に従って動作する電子機器であって、
前記補助記憶装置へのアクセス状態を表す表示手段と、
前記補助記憶装置に対するアクセスを含むジョブを前記ホスト機器から受信した際に、前記ジョブに対する処理実行中に、前記表示手段をアクセス状態とするように制御する表示制御手段と、を備えることを特徴とする電子機器。
【請求項３】
電源のＯＮ／ＯＦＦを機械的に切り替える電源スイッチを有することを特徴とする請求項１又は２に記載の電子機器。
【請求項４】
前記表示制御手段は、前記アクセスが書込みを行うライトアクセスであるか否かを判定する判定手段を含み、該判定手段がライトアクセスであると判定した場合に、前記表示手段をアクセス状態とするように制御することを特徴とする請求項１から３のいずれか１項に記載の電子機器。
【請求項５】
情報を表示する画面を更に備え、該画面に表示された情報に従ってユーザが入力した際に、前記電子機器のシャットダウン操作を行うシャットダウン手段を更に備えていることを特徴とする請求項１から４のいずれか１項に記載の電子機器。
【請求項６】
前記シャットダウン手段は、一旦シャットダウン操作を開始した後に、該操作のキャンセルが可能に構成されていることを特徴とする請求項５に記載の電子機器。
【請求項７】
前記表示手段が、ＬＥＤであることを特徴とする請求項１から６のいずれか１項に記載の電子機器。
【請求項８】
前記補助記憶装置はハードディスクドライブであり、記録媒体に印刷を行う印刷手段を更に備えることを特徴とする請求項１から７のいずれか１項に記載の電子機器。
【請求項９】
補助記憶装置と、該補助記憶装置へのアクセス状態を表す表示手段とを有し、接続されたホスト機器から送信された情報に従って動作する電子機器における補助記憶装置へのアクセス状態表示方法であって、
前記ホスト機器から送信された情報に従って前記補助記憶装置に対するアクセスを実行する所定時間前に、前記表示手段をアクセス状態とするように制御することを特徴とする補助記憶装置へのアクセス状態表示方法。
【請求項１０】
補助記憶装置と、該補助記憶装置へのアクセス状態を表す表示手段とを有し、接続されたホスト機器から送信された情報に従って動作する電子機器における補助記憶装置へのアクセス状態表示方法であって、
前記補助記憶装置に対するアクセスを含むジョブを前記ホスト機器から受信した際に、前記ジョブに対する処理実行中に、前記表示手段をアクセス状態とするように制御することを特徴とする補助記憶装置へのアクセス状態表示方法。
【請求項１１】
前記アクセスが書込みを行うライトアクセスであるか否かを判定し、ライトアクセスであると判定した場合に、前記表示手段をアクセス状態とするように制御することを特徴とする請求項９又は１０に記載の補助記憶装置へのアクセス状態表示方法。
【請求項１２】
請求項９から１１のいずれか１項に記載の補助記憶装置へのアクセス状態表示方法をコンピュータによって実行させることを特徴とするコンピュータプログラム。
【請求項１３】
請求項１２に記載のコンピュータプログラムを格納したことを特徴とする記憶媒体。
【発明の詳細な説明】
【０００１】
【発明の属する技術分野】
本発明は電子機器及び補助記憶装置へのアクセス状態表示方法に関し、特に、補助記憶装置を有し、接続されたホスト機器から送信された情報に従って動作する電子機器における補助記憶装置へのアクセス状態の表示に関する。
【０００２】
【従来の技術】
近年、コンピュータ等の情報処理装置が普及し、オフィスだけでなく家庭においても広く使用されている。通常、コンピュータには、プリンタ、スキャナ、ハードディスクドライブ（ＨＤＤ）、ＣＤ−ＲＯＭドライブ等の情報の入出力を行う周辺機器が接続され、これらコンピュータ及びそれに接続された周辺機器を用いて所望の情報処理が行われる。コンピュータと複数の周辺機器、あるいは複数の周辺機器の機能を一体化した装置も提案されている。
【０００３】
このような周辺機器は種類が多く、その電源スイッチの方式も様々である。一般的に機器の電源スイッチの方式は２つに大別される。一方は、電源スイッチがＯＦＦにされたら直ちに機器の電源が遮断される旧来からあるタイプであり、電源の有効／無効（ＯＮ／ＯＦＦ）を機械的に切り替えるのでハードスイッチと呼ばれる。他方は、電源スイッチがＯＦＦされた後に機器内部で電源を遮断するための準備をし、その後機器の電源が遮断されるタイプであり、ソフト的に電源の供給を制御するのでソフトスイッチと呼ばれる。
【０００４】
ソフトスイッチで行われる電源を遮断するための準備とは、そのまま電源を遮断した場合に生じる不具合を防止するための処理である。例えば、ＨＤＤにおいては、データの書込み中に電源がＯＦＦされると、その書込みを行っているエリア（セクタ）全体のデータが失われるので、ソフトスイッチを搭載したＨＤＤではこれを防止すべく、ＨＤＤへの書込みが終了したのを確認する処理が行われる。また、最近のコンピュータ装置においては、現在の設定を次回の起動時にも有効とすべく、電源ＯＦＦ時に必要な情報をＨＤＤに格納し、その後、機器自体の電源を落とす方式を採用するものもある。
【０００５】
以上のように、ソフトスイッチが搭載された機器においては、スイッチのＯＦＦ後にも内部は通電しており、実際に電源を遮断するための準備を行うことができる。しかしながら、このようなソフトスイッチを搭載するとコストが高くなるため、一般的には低価格の機器への搭載は少ない。
【０００６】
一方、ハードスイッチを搭載した機器では、電源スイッチがＯＦＦされると直ちに機器の電源が遮断されるため、例えば、ＨＤＤに対してデータ書込み中に電源がＯＦＦされ、データが破壊される危険性がある。これを防止するため、このような機器でも、シャットダウン操作をパネル等から行うようにしたり、パネル等に設置されたＨＤＤへのアクセスの際に点灯するＬＥＤを見て、ＬＥＤが消えている、すなわち、ＨＤＤへアクセスが行われていないことを確認した後、電源スイッチをＯＦＦするように操作手順が定められているものが多い。
【０００７】
ハードディスク（ＨＤＤ）へのアクセスに応じてＬＥＤの点灯を制御する仕組みとしては、例えば、特許文献１（特開２００１−１０１８５２号公報）等に開示されている。
【０００８】
一般的には、シャットダウン操作のためだけに、専用キーを設ける例は少なく、多くの場合は、パネルメニューの一つとして登録されている場合が多い。
【０００９】
尚、ＨＤＤのデータ破壊はデータ書込み（ライト）時にのみ発生し、読み取り（リード）時には発生しない。すなわち、リード時の電源ＯＦＦによって機器に不具合が生じることはないため、リード中の電源ＯＦＦについては特に問題とはならない。
【００１０】
【特許文献１】
特開２００１−１０１８５２号公報
【００１１】
【発明が解決しようとする課題】
上記のような方式の電源スイッチに関して、以下のような問題がある。
【００１２】
まず、ソフトスイッチでは、確実にシャットダウンを行うことが可能で、データの破壊等の問題が生じないという利点がある一方、ソフトスイッチ自体の構成が複雑になるため、コストが高くなるという問題がある。
【００１３】
一方、ハードスイッチでは、構造的にはシンプルであるため、コスト面で有利であるが、ユーザが定められた手順でシャットダウン操作を行なわないと、ＨＤＤ等においてデータ破壊等の問題が発生してしまう。これを防止するため、ＨＤＤアクセスＬＥＤを監視しつつスイッチをＯＦＦする方法と、パネルからシャットダウン操作を行う方法とが主に行われているが、これらの方法でもＨＤＤ等のデータ破壊を確実に防止することはできない。
【００１４】
より詳細には、ＬＥＤによる方法では、ＨＤＤへのライトアクセスが開始するタイミングではユーザがＬＥＤ点灯を確認できずに電源スイッチをＯＦＦする可能性がある。すなわち、ユーザにとってＬＥＤは非点灯に見える状態でも、実際にはライトアクセスが開始されていることがあり、この場合、書込みが行われているセクタのデータは破壊されてしまう。
【００１５】
更に、ＬＥＤによる方法では、ＨＤＤのデータ破壊以外に、ジョブ内で必要な情報がＨＤＤへ書込まれない場合が考えられる。例えば、印刷情報をＨＤＤで管理する装置において、ホストコンピュータからの印刷ジョブを受信した際、実際の印刷処理の終了時にＨＤＤにその印刷ジョブの情報（日時、クライアント、枚数、用紙等）を書込む事ように構成されていると、印刷処理が終了するまではＨＤＤへのアクセスが発生しないため、ＨＤＤのＬＥＤは点灯しない。従って、ユーザが印刷処理が終了した直後に電源スイッチをＯＦＦする可能性がある。この場合には当然、そのジョブの情報はＨＤＤに書込まれないため、管理情報が欠落してしまうこととなる。
【００１６】
また、パネルからシャットダウン操作を行う方法では、例えば、一般的な家電製品と比較すると複雑であるため、コンピュータ関連機器の扱いに慣れていないと、マニュアルなどを参照しないとシャットダウン操作を正しく行うのが困難である。このため、その機器が、例えば、ネットワークプリンタ等の複数のユーザによって使われる機器であると、シャットダウン操作を行うのは常に同じ人とはならず、このような機器の扱いに慣れていない人が、正しい手順でシャットダウン操作を行わない場合が生じ得る。
【００１７】
なお、以上のような問題は、フレキシブルディスク（ＦＤ）、ＣＤ−ＲＷ、ＤＶＤ−ＲＡＭなどを記憶媒体として用いる、ＨＤＤ以外の書込み可能な補助記憶装置に関しても同様に生じる。
【００１８】
本発明は以上のような状況に鑑みてなされたものであり、電源を遮断する際に補助記憶装置の情報が破壊されるのを簡単かつ低コストで防止することを可能とする、電子機器及び補助記憶装置へのアクセス状態表示方法を提供することを目的とする。
【００１９】
【課題を解決するための手段】
上記目的を達成するために本発明の一態様としての電子機器は、補助記憶装置を有し、接続されたホスト機器から送信された情報に従って動作する電子機器であって、
前記補助記憶装置へのアクセス状態を表す表示手段と、
前記ホスト機器から送信された情報に従って前記補助記憶装置に対するアクセスを実行する所定時間前に、前記表示手段をアクセス状態とするように制御する表示制御手段と、を備えている。
【００２０】
また、上記目的を達成する本発明の別の態様としての電子機器は、補助記憶装置を有し、接続されたホスト機器から送信された情報に従って動作する電子機器であって、
前記補助記憶装置へのアクセス状態を表す表示手段と、
前記補助記憶装置に対するアクセスを含むジョブを接続されたホスト機器から受信した際に、前記ジョブに対する処理実行中に、前記表示手段をアクセス状態とするように制御する表示制御手段と、を備えている。
【００２１】
更に、上記目的は、上記の電子機器に対応した補助記憶装置へのアクセス状態表示方法、該方法をコンピュータによって実行させるコンピュータプログラム、該コンピュータプログラムを格納した記憶媒体によっても達成される。
【００２２】
すなわち、本発明によれば、補助記憶装置と、該補助記憶装置へのアクセス状態を表す表示手段とを有し、接続されたホスト機器から送信された情報に従って動作する電子機器において、ホスト機器から送信された情報に従って補助記憶装置に対するアクセスを実行する所定時間前に、表示手段をアクセス状態とするように制御するか、あるいは、補助記憶装置に対するアクセスを含むジョブをホスト機器から受信した際に、ジョブに対する処理実行中に、表示手段をアクセス状態とするように制御する。
【００２３】
このようにすると、ユーザが表示手段の状態を確認した後に電源をＯＦＦするようにすることにより、補助記憶装置のデータの破壊を一層確実に防ぐことができる。また、制御プログラムを部分的に変更するのみで対応できるため、実施が容易でコストがかからない。
【００２４】
従って、電源を遮断する際に補助記憶装置の情報が破壊されるのを簡単かつ低コストで防止することが可能となる。
【００２５】
【発明の実施の形態】
以下、本発明の好適な実施形態について添付図面を参照して詳細に説明する。
【００２６】
＜第１の実施形態＞
第１の実施形態は、ＨＤＤを内蔵したレーザービームプリンタ（ＬＢＰ）に本発明を適用した例である。
【００２７】
図１は本実施形態の外観（ａ）及び操作パネル（ｂ）を示す図である。外観を示す（ａ）において、１１はＬＢＰ本体、１２はハードスイッチタイプの電源スイッチ、１３はホストコンピュータとの通信及びＬＢＰ全体を制御するコントローラ、１４は印刷データ、印字記録、フォント等のデータを格納する補助記憶装置としてのＨＤＤ、１５は操作パネルである。尚、本実施形態では、コントローラ１３が直接ＨＤＤ１４を制御する。
【００２８】
（ｂ）に示す操作パネル１５において、１５１は種々の情報が表示される液晶画面、１５２〜１５４は、Ｒｅａｄｙ状態、Ａｌａｒｍ状態、ＨＤＤへのアクセスが行われていることをそれぞれ示す表示手段としてのＬＥＤ、１５５はオンライン／オフライン状態を切り替えるスイッチ、１５６は液晶画面に表示されている情報を切り替えるシフトボタン、１５７〜１６０はそれぞれ、Ｍｅｎｕ画面の表示、Ｉｔｅｍ（項目）の切り替え、Ｖａｌｕｅ（値）の切り替え、Ｅｎｔｅｒ（入力値確定）のためのボタンである。
【００２９】
図６は、本実施形態のＬＢＰの制御構成を示す概略ブロック図である。装置全体を制御するコントローラ１３は、中央処理装置であるＣＰＵ１３１、制御プログラムを格納するＲＯＭ１３２、印刷データの格納やワーク領域として使用されるＲＡＭ１３３、及び接続されたサーバやホスト器機との通信を行うＩ／Ｆ１３４を含んでいる。コントローラ１３には、印刷動作を行うプリンタ部１６、補助記憶装置としてのＨＤＤ１４、及びユーザの入力操作及び表示のための操作パネル１５が内部バスを介して接続されている。
【００３０】
本実施形態において、ＬＢＰ１１が所定のモードに設定されているとき、接続されたホスト機器あるいはサーバを介してクライアントから印刷データを受信すると、ＨＤＤ１４に対して書込み（ライトアクセス）が行われる。詳細には、例えば、Ｓｅｃｕｒｅｄ　Ｊｏｂモードが設定されている場合、データを送信した後に、ユーザがＬＢＰの操作パネル１５によって実際の印刷指示を行った後、始めて印刷が行われる。
【００３１】
また、ＬＢＰ１１の管理情報としてのジョブのログを記録する際にも、ＨＤＤ１４に対して書込みアクセスが行われる。このログは、日時、クライアント、枚数、用紙等のデータを含んでいる。
【００３２】
このようなＨＤＤ１４へのデータ書込み時に、ＬＢＰ１１の電源スイッチがＯＦＦされると、印刷するべきデータが破壊されたり、管理情報が失われることになる。
【００３３】
本実施形態ではこのような事態を回避するため、実際にＨＤＤ１４に対してアクセスが行われるよりも所定時間（例えば、２秒）前に、ＨＤＤのアクセス状態を表すＬＥＤ１５４を点灯させて、ユーザに注意を促すようにした。
【００３４】
図２は、本実施形態におけるＨＤＤへのアクセスと、ＨＤＤアクセス状態を表すＬＥＤの点灯状態とを示すタイミングチャートである。図中ＨＤＤへのアクセス状態を示す信号２１が“Ｈｉｇｈ”となるｔ１からｔ２の期間にＨＤＤに対するアクセスが行われ、ＬＥＤ１５４の点灯状態を示す信号２２が“Ｈｉｇｈ”となるｔ０からｔ２の期間にＬＥＤ１５４は点灯する。
【００３５】
すなわち、期間ｔ０〜ｔ１の間は、実際にはＨＤＤへのアクセスが行われていないにもかかわらず、ＬＥＤ１５４は点灯する。これは、上記において説明したように、ＬＥＤ１５４の点灯期間を実際のＨＤＤへのアクセス期間（ｔ１〜ｔ２）と同一とした場合に、ユーザがＬＥＤの非点灯を確認した直後にＨＤＤへのライトアクセスが行われて、ＨＤＤのデータが破壊されるのを防ぐためである。
【００３６】
このようにすることにより、実際にＨＤＤへのアクセスが行われる所定時間前にＬＥＤ１５４が点灯しているので、ユーザがＨＤＤのアクセス状態を表すＬＥＤ１５４が点灯してないのを確認して電源ＯＦＦすることにより、ＨＤＤのデータが破壊されるのを防ぐことができる。
【００３７】
以下、本実施形態の具体的な処理フローについて図３を参照して説明する。なお、図３に示す処理はコントローラ１３内にて行われるものである。
【００３８】
コントローラ１３がＨＤＤへのアクセスを行う場合、最初にＬＥＤ１５４を点灯する（ステップＳ３２）。次に、２秒待機する（ステップＳ３３）。その後、ＨＤＤへのアクセスを開始する（ステップＳ３４）。
【００３９】
以上説明したように本実施形態によれば、ユーザがＬＥＤの非点灯を確認した後に電源をＯＦＦするようにすることにより、ＨＤＤのデータの破壊を一層確実に防ぐことができる。また、コントローラの制御プログラムを部分的に変更するのみで対応できるため、実施が容易でコストがかからない。
【００４０】
＜第２の実施形態＞
以下、本発明の第２の実施形態について説明する。以下においては、上記第１の実施形態と同様な部分については説明を省略し、本実施形態の特徴的な部分を中心に説明する。
【００４１】
本実施形態も上記第１の実施形態と同様なＨＤＤを備えたＬＢＰであり、その構成も図１及び２に示すものと同様である。
【００４２】
第１の実施形態では、ＨＤＤへのアクセスが行われる前にＬＥＤを点灯し、アクセスが終了するとＬＥＤを消灯するように制御したが、本実施形態では、ＨＤＤアクセスを含んだ一連のジョブ全体が終了するまでＬＥＤを点灯させるように制御する。
【００４３】
上記のように、ＨＤＤ１４へのライトアクセスが行われるのは、所定のモードでホスト機器やクライアントから印刷データを受信したときと、管理情報としてジョブのログを記録するときである。上記第１の実施形態では、ライトアクセスが行われている間に電源がＯＦＦにされることは防止できるが、ジョブのログの記録は正しく行われない場合がある。
【００４４】
例えば、印刷終了後にジョブのログを記録するような構成では、印刷終了まではＨＤＤへのアクセスが発生しないため、第１の実施形態においては、ＨＤＤアクセスを表すＬＥＤが点灯せず、その間にユーザが電源をＯＦＦすることが生じ得る。この場合には、ジョブのログが記録されず不具合が生じる。本実施形態では、このような問題を回避するために、ＨＤＤへのアクセスを含んだ一連のジョブ全体が終了するまでＬＥＤを点灯させる。
【００４５】
図４は、本実施形態におけるジョブの処理状態と、ＨＤＤ１４へのアクセスと、ＨＤＤアクセス状態を表すＬＥＤ１５４の点灯状態とを図２と同様に示したタイミングチャートである。図４において、４１はプリンタでのジョブの処理状態、４２は実際のＨＤＤ１４へのアクセスの状態、４３はＬＥＤ１５４の点灯状態をそれぞれ示している。この図からも明らかなように、ジョブの処理はｔ０からｔ５までの期間で行われ、その間の信号４２が“Ｈｉｇｈ”となるｔ１〜ｔ２及びｔ３〜ｔ４の間だけＨＤＤ１４へのアクセスが実際に行われる。ＨＤＤへのアクセス状態を表すＬＥＤ１５４は、ジョブの処理が行われているのと同じ期間（ｔ０〜ｔ５）点灯する。
【００４６】
このようにすることにより、実際にＨＤＤへのアクセスが行われる期間だけでなくジョブに対する処理が行われている間、ＬＥＤ１５４が点灯しているので、ユーザがＨＤＤのアクセス状態を表すＬＥＤ１５４が点灯してないのを確認して電源ＯＦＦすることにより、ＨＤＤのデータ破壊を防ぐと共に、情報が正しく記録されるのを保護することができる。
【００４７】
以下、本実施形態の具体的な処理フローについて図５を参照して説明する。なお、図５に示す処理はコントローラ１３内にて行われるものである。
【００４８】
コントローラ１３がジョブをホスト機器又はクライアントから受信（ステップＳ５０２）すると、ＨＤＤへのアクセスを表すＬＥＤ１５４を点灯し（ステップＳ５０３）、タイマーを０にセットし（ステップＳ５０４）、ジョブが終了したか否かを判定する（ステップＳ５０５）。
【００４９】
ステップＳ５０５でジョブが終了していないと判定されたら、ＨＤＤアクセス処理を実行するか否かを判定する（ステップＳ５０７）。ＨＤＤアクセス処理がなければステップＳ５０５に戻る。ＨＤＤアクセス処理を実行する場合には、タイマーをチェックして２秒未満であるか否か判定する（ステップＳ５０８）。２秒未満であれば２秒経過するまで待機し、２秒経過したらＨＤＤアクセス処理を実行する（ステップＳ５０９）。そしてＨＤＤアクセス処理が終了したら、ステップＳ５０５に戻る。
【００５０】
ステップＳ５０５でジョブが終了したと判定されたら、ＬＥＤ１５４を消灯し（ステップＳ５０６）、処理を終了する。
【００５１】
以上説明したように本実施形態によれば、ジョブの処理中にＬＥＤを点灯させるため、ユーザがＬＥＤの非点灯を確認した後に電源をＯＦＦするようにすることにより、ジョブ全体が正しく実行されるのを保護することが可能である。これにより、ジョブ内で行われるＨＤＤへの書込みの際にＨＤＤのデータが破壊されるのを防止できると共に、ジョブに関する情報を正しく記録するのも保護できる。
【００５２】
＜他の実施形態＞
なお、上記の実施形態では、ＨＤＤへのアクセスの開始の２秒前にＬＥＤを点灯するものとして説明を行ったが、勿論、この時間は２秒である必要はなく、これより短くても、長くても構わないが、ユーザがＬＥＤを確認してから電源スイッチをＯＦＦするのに要する時間以上であるのが好ましい。
【００５３】
また、上記の実施形態では、ホスト機器やクライアントから受信したジョブに関するＨＤＤアクセスを例に挙げて説明したが、コントローラ自体がＨＤＤへアクセスを行う際にも、同様な処理を行うことにより、ＬＥＤを先に点灯させてから、ＨＤＤのアクセスを行うようにすることができる。
【００５４】
更に、ライトアクセスを含まないジョブ（すなわち、リードアクセス）に対してもＨＤＤのアクセス状態を表すＬＥＤを先に点灯させた後、アクセスを実行することになるが、勿論、ライトアクセスを含んだジョブに対してのみ、上記のＬＥＤの点灯制御を実行するようにしてもよい。この場合にはアクセスがライトアクセスかリードアクセスかを判定する処理が増えるが、リードアクセス時に不要な待ち時間が発生しないという効果が得られる。
【００５５】
更にまた、液晶等の表示画面を備えている場合には、他のコンピュータ機器と同様な操作でのシャットダウンを可能とすべく、画面上からもシャットダウン操作が可能なようにするのが好ましく、画面からシャットダウン操作を指示した際にはキャンセルできるように構成されているのが一層好ましい。
【００５６】
本発明は、複数の機器から構成されるシステムに適用しても良いし、また、一つの機器からなる装置に適用しても良い。
【００５７】
なお、本発明は、前述した実施形態の機能を実現するソフトウェアのプログラム（本実施形態では図２、３、４及び図５に示すタイミングチャートやフローチャートに対応したプログラム）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００５８】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等、プログラムの形態を問わない。
【００６０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６１】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【００６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００６５】
【発明の効果】
以上説明したように本発明によれば、ユーザが表示手段の状態を確認した後に電源をＯＦＦするようにすることにより、補助記憶装置のデータの破壊を一層確実に防ぐことができる。また、制御プログラムを部分的に変更するのみで対応できるため、実施が容易でコストがかからない。
【００６６】
従って、電源を遮断する際に補助記憶装置の情報が破壊されるのを簡単かつ低コストで防止することが可能となる。
【図面の簡単な説明】
【図１】第１の実施形態のＬＢＰの外観及び操作パネルを示す図である。
【図２】第１の実施形態におけるＨＤＤのアクセスとＬＥＤの点灯状態とを示すタイミングチャートである。
【図３】第１の実施形態における処理を示すフローチャートである。
【図４】第２の実施形態におけるＨＤＤのアクセスとＬＥＤの点灯状態とを示すタイミングチャートである。
【図５】第２の実施形態における処理を示すフローチャートである。
【図６】図１のＬＢＰの制御構成を示すブロック図である。
【符号の説明】
１１　ＬＢＰ
１２　電源スイッチ
１３　コントローラ
１４　ＨＤＤ
１５　操作パネル
１６　プリンタ部
１３１　ＣＰＵ
１３２　ＲＯＭ
１３３　ＲＡＭ
１３４　Ｉ／Ｆ
１５１　液晶画面
１５２〜１５４　ＬＥＤ
１５５　切り替えスイッチ
１５６　シフトボタン
１５７〜１６０　操作ボタン
【図１】
2004139522.tif 000003
【図２】
2004139522.tif 000004
【図３】
2004139522.tif 000005
【図４】
2004139522.tif 000006
【図５】
2004139522.tif 000007
【図６】
2004139522.tif 000008